(57)【要約】      （修正有）【課題】全季節で使用可能な屋内着用スリッパを提供する。【解決手段】スリッパは、スリッパ本体１０及びインソール２０を含む。スリッパ本体は、上方に又はユーザの足の裏の底面に向かって面する取り付け面１１を有する。インソールは、取り付け面の輪郭に対応する輪郭を有し、取り付け面上に対応して配置できる。インソールの底面は取り付け面に面し、取り付け面及び底面は、互いに取り付けられ、互いに分離でき、季節に応じて交換可能である。【選択図】図１
0003226580.tif 000002
【実用新案登録請求の範囲】
【請求項１】
交換可能なインソールを有するスリッパであって、
上方に面する１つの取り付け面を有する１つのスリッパ本体、
前記取り付け面に対応する外形を示し、前記取り付け面に対応して配置できるインソール、を備え、
前記インソールの底面は前記取り付け面に面し、
前記取り付け面及び前記底面は、繰り返し接合及び分離できることを特徴とする、
スリッパ。
【請求項２】
前記取り付け面には、少なくとも１つの着脱可能な締結装置が設けられていることを特徴とする、請求項１に記載のスリッパ。
【請求項３】
前記取り付け面の前端及び後端に、着脱可能な締結装置がそれぞれ設けられていることを特徴とする、請求項２に記載のスリッパ。
【請求項４】
前記インソールの前記底面は面ファスナーを有することを特徴とする、請求項１に記載のスリッパ。
【請求項５】
前記スリッパ本体は、ヒトの身体の足前部の一部又は全てに対応する、前記取り付け面の上に設けられるカバー部分をさらに備えることを特徴とする、請求項１に記載のスリッパ。
【請求項６】
前記カバー部分のカバー長さは、前記スリッパ本体の長さの０．２倍〜０．５倍であることを特徴とする、請求項５に記載のスリッパ。
【請求項７】
前記カバー長さは、前記スリッパ本体の長さの０．４５倍であることを特徴とする、請求項６に記載のスリッパ。
【請求項８】
前記スリッパの外周に沿ってスリッパ周縁があり、前記取り付け面は前記スリッパ周縁の範囲内にあることを特徴とする、請求項１に記載のスリッパ。
【請求項９】
前記インソールは、足が接触して踏むための接触面を有することを特徴とする、請求項１に記載のスリッパ。
【請求項１０】
前記インソールの外周に沿ってインソール周縁があり、前記接触面は前記インソール周縁の範囲内にあることを特徴とする、請求項９に記載のスリッパ。
【請求項１１】
前記スリッパ周縁の幅は５ｍｍ〜１０ｍｍであることを特徴とする、請求項８に記載のスリッパ。
【請求項１２】
前記スリッパ周縁の幅は８ｍｍであることを特徴とする、請求項１１に記載のスリッパ。
【請求項１３】
前記接触面は、絹、綿、竹及び葦材料からなることを特徴とする、請求項９に記載のスリッパ。
【請求項１４】
前記インソール周縁の幅は５ｍｍ〜１０ｍｍであることを特徴とする、請求項１０に記載のスリッパ。
【請求項１５】
前記インソール周縁の幅は８ｍｍであることを特徴とする、請求項１４に記載のスリッパ。
【考案の詳細な説明】
【技術分野】
【０００１】
本願は、２０１９年５月８日に出願された台湾特許出願第１０８２０５６８７号に対する優先権を主張するものであり、参照によりその全体が本明細書に援用される。
【０００２】
本考案は、スリッパ、特に、屋内で着用され、ユーザによって交換される交換可能なインソールを有する一対のスリッパに関する。
【背景技術】
【０００３】
従来の屋内用スリッパは通常、特定の個人のみによっては着用されず、一定の期間にわたって繰り返し使用される。したがって、それらのスリッパは多くの場合に衛生上の問題に直面する。これは、家庭において一般的な問題であるだけではなく、ホテル又は公共の場によって提供される屋内用スリッパにおいても厄介な問題である。
【０００４】
一般家庭について言えば、屋内用スリッパは定期的に洗浄することで衛生的な使用を維持できるが、布、綿等から作られる屋内用スリッパは、縫製によって作られ、縫い目の角部は多くの場合洗浄が困難である。ホテルについて言えば、スリッパは、異なる旅客に毎日サービスする必要性に起因して、直ちには洗浄できない。したがって、代替案は、使い捨てスリッパを提供することである。これによって、衛生上の要件は考慮されるが、ごみの量を増大させるだけでなく、ホテルの作業費用をも増大させる。
【０００５】
加えて、秋冬季には、ユーザは、暖かさを達成するために、布及び綿等の材料から作られたスリッパを着用することを好む。一方、春夏季には、ユーザは、冷却効果を達成するために、竹及び葦から作られたスリッパを選ぶ傾向にある。しかし、これらの要求は、ホテルに、異なる季節に従って異なる機能性材料の屋内用スリッパを購入することを強いる。
従来の屋内用スリッパは、異なる季節の必要性を満たすことができないだけではなく、付加的な購入費用も増大させ、多すぎるスリッパによって生じる保管スペースの負担さえもあることが知られている。
【考案の概要】
【考案が解決しようとする課題】
【０００６】
したがって、屋内用スリッパの使用に係る、上述した欠点及び制約を改善する方法が、当該産業に差し迫って必要とされている。
【課題を解決するための手段】
【０００７】
上述した欠点に鑑みて、本考案の目的は、ユーザがインソールを自発的に交換することを可能にする屋内用スリッパを提供することである。様々な必要性を満たすように、同じスリッパ本体が、異なる機能性のインソールに適合するように使用される。
【０００８】
上記の目的を達成するために、本考案によって開示されるスリッパは、スリッパ本体及びインソールを含む。スリッパ本体は、上方に又はユーザの足の裏の底面に向かって面する１つの取り付け面を有する。インソールは、取り付け面に対応する輪郭を有し、取り付け面に対応して配置できる。インソールの１つの底面は取り付け面に面し、取り付け面及び底面は、繰り返し接合及び分離できる。
【０００９】
上記の目的を達成するために、取り付け面には、底面への付着と分離を繰り返し可能な、ベルクロ（登録商標）等の少なくとも１つの着脱可能な締結装置が設けられている。
【００１０】
上記の目的を達成するために、取り付け面には、ユーザがスリッパ本体をインソールから容易に分離できるように、少なくとも１つの着脱可能な締結装置が設けられている。
【００１１】
上記の目的を達成するために、インソールの底面は、繰り返し着脱可能な締結装置に付着するとともに着脱可能な締結装置から分離するように使用される、ベルクロ等の面ファスナ材料である。
【００１２】
上記の目的を達成するために、スリッパ本体は、ヒトの足の前方部分の一部又は全てに対応する、取り付け面の上に設けられるカバー部分をさらに含む。
【００１３】
上記の目的を達成するために、カバー部分のカバー長さは、スリッパの長さの０．２倍〜０．５倍、好ましくは０．４５倍である。
【００１４】
上記の目的を達成するために、スリッパ本体の外周に沿ってスリッパ周縁（又はバリ）があり、それによって、取り付け面はスリッパ周縁の範囲内に位置付けられる。
【００１５】
上記の目的を達成するために、インソールは、足が踏む接触面を画成し、絹、綿、竹、葦等のような異なる材料から作ることができる。
【００１６】
上記の目的を達成するために、インソールの外周に沿ってインソール周縁があり、それによって、接触面はインソール周縁の範囲内に位置付けられる。
【００１７】
上記の目的を達成するために、スリッパ周縁及びインソール周縁のヘム幅は、５ｍｍ〜１０ｍｍ、好ましくは８ｍｍである。
【００１８】
上述した目的、技術的な特徴及び利点をより分かりやすくするために、添付の図面と併せて、以下の詳細な説明が好ましい実施形態とともに与えられる。
【００１９】
図面は、種々の実施形態を説明するために提供される。
【図面の簡単な説明】
【００２０】
【図１】本考案の第１の実施形態による、分離されているスリッパ本体及びインソールの概略図である。
【図２】第１の実施形態のスリッパ本体及びインソールの組み合わせの概略図である。
【図３】第１の実施形態のスリッパ本体の上面図である。
【図４Ａ】ユーザのつま先を覆わない、第１の実施形態のカバー部分を示す概略図である。
【図４Ｂ】ユーザのつま先を覆う、第２の実施形態のカバー部分を示す概略図である。
【図５】縁を有しないスリッパ本体の別の実施形態を示す概略図である。
【図６】インソール周縁を有しないインソールの別の実施形態を示す概略図である。
【考案を実施するための形態】
【００２１】
以下の内容は、本考案によって開示されるスリッパの構成、及び、特定の例を通してスリッパを分離して組み合わせることができる方法を詳細に説明する。
【００２２】
図１において示されているように、スリッパ１は、スリッパ本体１０及びインソール２０を含む。
スリッパ本体１０は、取り付け面１１及びソール１２を有する。取り付け面１１は、ソール１２とは反対側にある。より詳細には、取り付け面１１は、上方に又はユーザの足の裏の底面に向かって方向付けられ、ソール１２は地面に接触する。
インソール２０は、取り付け面１１に対応する外側の輪郭を有し、それによって、インソール２０を、取り付け面１１に対応して配置できる。インソール２０は底面２１及び接触面２２を有する。使用中に、接触面２２は、ユーザの足の裏の底面が踏むように上方に面し、一方で、底面２１は、接触面２２の裏面であり、取り付け面１１に面し、取り付け面１１及び底面２１は、繰り返し可能に係合及び離脱する。
【００２３】
要するに、スリッパ１は、スリッパ本体１０の取り付け面１１及びインソール２０の底面２１によって繰り返し分離（図１を参照のこと）及び接合（図２を参照のこと）でき、それによって、ユーザはインソールを独立して交換できる。
【００２４】
取り付け面及び底面の上述した分離及び組み合わせを達成するために、少なくとも１つの着脱可能な締結装置１３が取り付け面１１に設けられており、その材料は、当業者には「ベルクロ」として知られる。着脱可能な締結装置１３は、その上にフック構造を縫い付けることによって取り付け面１１に固定され、底面２１は面ファスナ材料から作られる。フック構造と面ファスナ材料との接触によって、スリッパ本体１０の取り付け面１１及びインソール２０の底面２１を一時的に連結できる。スリッパ本体１０をインソール２０から分離したい場合、ユーザは、インソール２０をスリッパ本体１０から引き離すだけでよい。
【００２５】
図１及び図３において示されているように、取り付け面１１は前端１１１及び後端１１２を画成し、締結装置１３は、前端１１１及び後端１１２の位置にそれぞれ配置されており、それによって、ユーザは、前端１１１及び後端１１２を引っ張るだけで、インソール２０をスリッパ本体１０から容易に分離できる。
他の実施形態（図示せず）では、着脱可能な締結装置１３を使用して、取り付け面１１全体を覆うことができるか、又は、別の着脱可能な締結装置１３を取り付け面１１の中央エリアに加え、インソール２０とスリッパ本体１０との接合力を強化できる。
【００２６】
図１、図４Ａ及び図４Ｂにおいて示されているように、スリッパ本体１０は、取り付け面１１の上に設けられているカバー部分１４又は１４’をさらに含み、カバー部分１４又は１４’は、ヒトの身体の足前方部分の一部又は全てを対応して覆う。すなわち、カバー部分１４又は１４’は、ユーザの足首及び踵が覆われない位置に設けられている。
具体的には、第１の実施形態は、（図４Ａにおいて示されているように）「足の前方部分」が覆われる場合であり、カバー部分１４は、通気効果を達成するように、つま先を露出させる開口部１４１を有する。第２の実施形態は、（図４Ｂにおいて示されているように）「足の前方部分全体」が覆われる場合であり、カバー部分１４’は、つま先を露出させる開口部を有さず、それによって、より良好な断熱効果を達成できる。
【００２７】
従来のスリッパでは、スリッパが足前部によって着用できることのみが必要とされており、このため、覆う部分は通常、足前部のみの小さい面積を覆う。特に、つま先を露出させるタイプのスリッパは、小さすぎて、移動中に意図せず容易に落下し、足の怪我を生じる可能性がある。以上に鑑みて、つま先が露出される（図４Ａ）か又はつま先が露出されない（例えば図４Ｂ）かに関係なく、カバー部分が足首近くまで覆うことができるように、カバー部分のカバー長さを増大させることが特に好ましい。サイズ設計に関しては、一例として図４Ａを挙げると、カバー部分１４のうちの１つのカバー長さ１４ｈは、スリッパ本体１０の長さ１０ｈの０．２倍〜０．５倍、好ましくは０．４５倍であるように設計され、それによって、足の最前部分に良好なカバーを提供する。加えて、ユーザのつま先が露出されるスリッパ（すなわち図４Ａ）の場合、つま先が、カバー部分１４の開口部１４１を越えて突出することを可能な限り防止することが可能である。
【００２８】
図３において示されているような、スリッパ本体１０の他の構造では、スリッパ本体１０の外周縁は、スリッパ周縁（又はバリ）１５をさらに有することができる。すなわち、取り付け面１１はスリッパ周縁１５の範囲内にある。
図２において示されているように、スリッパ本体１０及びインソール２０が組み合わせられると、インソール２０は、スリッパ周縁１５の範囲内に配置される。しかし、図５において示されているスリッパ本体の別の実施形態では、スリッパ本体１０’は、取り付け面１１’しか有さず、スリッパ周縁を有しない。
【００２９】
図１において示されているようなインソール２０の他の構造及び材料では、インソール２０上に足の踏み面のための接触面２２を画成することに加えて、インソール周縁（又はバリ）２３を、インソール２０の外周に沿って形成できる。すなわち、接触面２２はインソール周縁２３の範囲内に位置付けられる。最適な使用状態は、ユーザの足の裏が接触面２２にのみ接触して接触面２２を踏み、通常はインソール周縁２３を踏まない。しかし、図６において示されているインソールの別の実施形態では、インソール２０’は接触面２２’しか有さず、インソール周縁はない。
【００３０】
加えて、様々な季節及び様々な機能の必要性を満たすために、インソールの接触面は、絹、綿、竹及び葦等の様々な材料から作られる。
【００３１】
本考案のスリッパが上述したスリッパ周縁１５及びインソール周縁２３を有する場合、周縁の幅は、５ｍｍ〜１０ｍｍの範囲内、好ましくは８ｍｍである。
【００３２】
以上を要するに、上記のスリッパ本体及びインソールの構成によって、本考案のスリッパのインソールは、別々に分解でき、したがって洗浄を容易にする。インソールの接触面は、様々な材料から作ることができるため、様々な機能性のインソールを有する同じスリッパ本体によって様々な要件に適合できる。さらに、インソールが汚れてそれ以上使用できない場合、インソールを交換すればよく、これは、費用を節約するだけではなく、ごみの量も低減する。
【００３３】
上述した実施形態は、本考案の実施態様を例示するとともに、新規のスリッパの技術的な特徴を説明するために専ら用いられるが、本考案の保護範囲を限定するためには用いられない。当業者によって容易に達成できる任意の変更又は均等な配置は、本願によって請求される範囲内にあり、本考案の保護範囲は、添付の実用新案登録請求の範囲によって画成されるものとする。
【図１】
0003226580.tif 000003
【図２】
0003226580.tif 000004
【図３】
0003226580.tif 000005
【図４Ａ】
0003226580.tif 000006
【図４Ｂ】
0003226580.tif 000007
【図５】
0003226580.tif 000008
【図６】
0003226580.tif 000009